(57)【要約】【課題】カードリーダにカードが挿入された後に指紋認証等の生体認証が行われる場合であっても、利用者の操作性を高めることが可能なカードリーダを提供する。【解決手段】カードリーダ１は、カード２の挿入口３が形成される前面カバー６と、カード移動路が形成される本体フレーム５と、カードリーダ１の利用者の指先から利用者の生体認証データを取得するための生体認証センサ７とを備えている。前面カバー６には、挿入口３へのカード２の挿入時および挿入口３からのカード２の抜取り時に利用者がカード２の前端部を掴むための凹部６ａが形成され、凹部６ａは、前面カバー６の前面から後ろ側に向かって窪んでいる。生体認証センサ７は、カード２の厚さ方向における凹部６ａの側面６ｃに取り付けられている。【選択図】図１
2019200681.tif 000002
【特許請求の範囲】
【請求項１】
カードに記録されたデータの読取りおよび前記カードへのデータの記録の少なくともいずれか一方を行うカードリーダにおいて、
前記カードの挿入口が形成される前面カバーと、前記挿入口から挿入された前記カードが移動するカード移動路が形成される本体フレームと、前記カードリーダの利用者の指先から前記利用者の生体認証データを取得するための生体認証センサとを備え、
前記挿入口への前記カードの挿入方向を後ろ方向とし、後ろ方向の反対方向を前方向とすると、
前記前面カバーは、前記本体フレームの前面側に配置されるとともに前記カードリーダの前面を構成し、
前記前面カバーには、前記挿入口への前記カードの挿入時および前記挿入口からの前記カードの抜取り時に前記利用者が前記カードの前端部を掴むための凹部が形成され、
前記凹部は、前記前面カバーの前面から後ろ側に向かって窪んでおり、
前記生体認証センサは、前記挿入口に挿入される前記カードの厚さ方向における前記凹部の側面に取り付けられていることを特徴とするカードリーダ。
【請求項２】
前記生体認証センサは、前記利用者の指紋を読み取るための指紋センサ、または、前記利用者の指先の静脈パターンを読み取るための静脈センサであることを特徴とする請求項１記載のカードリーダ。
【請求項３】
前記カードリーダへの前記カードの挿入と前記カードリーダからの前記カードの抜取りとを前記利用者が手動で行う手動式のカードリーダであり、
前記カードリーダへの前記カードの挿入が完了した状態で前記カードの厚さ方向から見たときに、前記カードの一部が前記生体認証センサの少なくとも一部と重なっていることを特徴とする請求項１または２記載のカードリーダ。
【請求項４】
前記カードリーダへの前記カードの挿入が完了した状態で前記カードの厚さ方向から見たときに、前記カードの一部が前記生体認証センサの一部と重なっており、前記生体認証センサの前端部は、前記カードと重なっていないことを特徴とする請求項３記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行う手動式のカードリーダが知られている（たとえば、特許文献１参照）。特許文献１に記載のカードリーダには、カードが挿入されるカード挿入口と、カード挿入口に挿入されたカードが移動するカード移動路とが形成されている。このカードリーダは、カードリーダの利用者の指紋データを取得するための指紋センサと、カード移動路を開閉する開閉機構とを備えている。
【０００３】
特許文献１に記載のカードリーダの前端側の一部分は、カードリーダの利用者によるカードの挿入およびカードの抜取りが可能となるように切り欠かれた切欠部となっている。切欠部は、カードリーダの前端から奥側に向かって切り欠かれている。左右方向における切欠部の両側には、突出部が形成されている。一方の突出部の上面には、下側に向かって窪む凹部が形成されている。指紋センサは、この凹部の底面に配置されている。
【０００４】
また、特許文献１に記載のカードリーダでは、開閉機構は、カードリーダの内部にカードが挿入されないようにカード移動路の前端側部分を閉鎖する閉鎖位置と、カードリーダの内部へのカードの挿入が可能となるようにカード移動路の前端側部分を開放する開放位置との間で回動可能なレバー部材を備えている。このカードリーダでは、指紋センサによって読み取られた指紋データが適切な指紋データであると判断された場合に、レバー部材が閉鎖位置から開放位置に回動して、カードリーダへのカードの挿入が可能になる。
【先行技術文献】
【特許文献】
【０００５】
【特許文献１】特開２０１７−１６６１７号公報
【発明の概要】
【発明が解決しようとする課題】
【０００６】
カードリーダが搭載されるＡＴＭ（Ａｕｔｏｍａｔｅｄ  Ｔｅｌｌｅｒ  Ｍａｃｈｉｎｅ）等の上位装置では、カードリーダにカードが挿入された後に、指紋認証等の生体認証が行われる場合がある。特許文献１に記載のカードリーダがＡＴＭ等の上位装置に搭載されていれば、利用者がカードリーダにカードを挿入した後、指紋センサの上に指を載せることで指紋認証を行うことが可能である。しかしながら、この場合には、利用者は、カード挿入口からカードを挿入した後、カードを掴んでいた指先を、突出部の上面の凹部に配置される指紋センサまで移動させなければならず、利用者の操作性は必ずしも良くない。
【０００７】
そこで、本発明の課題は、カードリーダにカードが挿入された後に指紋認証等の生体認証が行われる場合であっても、利用者の操作性を高めることが可能なカードリーダを提供することにある。
【課題を解決するための手段】
【０００８】
上記の課題を解決するため、本発明のカードリーダは、カードに記録されたデータの読取りおよびカードへのデータの記録の少なくともいずれか一方を行うカードリーダにおいて、カードの挿入口が形成される前面カバーと、挿入口から挿入されたカードが移動するカード移動路が形成される本体フレームと、カードリーダの利用者の指先から利用者の生体認証データを取得するための生体認証センサとを備え、挿入口へのカードの挿入方向を後ろ方向とし、後ろ方向の反対方向を前方向とすると、前面カバーは、本体フレームの前面側に配置されるとともにカードリーダの前面を構成し、前面カバーには、挿入口へのカードの挿入時および挿入口からのカードの抜取り時に利用者がカードの前端部を掴むための凹部が形成され、凹部は、前面カバーの前面から後ろ側に向かって窪んでおり、生体認証センサは、挿入口に挿入されるカードの厚さ方向における凹部の側面に取り付けられていることを特徴とする。
【０００９】
本発明のカードリーダでは、カードの挿入口が形成される前面カバーに、挿入口へのカードの挿入時および挿入口からのカードの抜取り時に利用者がカードの前端部を掴むための凹部が前面カバーの前面から後ろ側に向かって窪むように形成されている。また、本発明では、生体認証センサは、カードの厚さ方向における凹部の側面に取り付けられている。そのため、本発明では、利用者が挿入口からカードを挿入した後、カードを掴んでいた指先をそのまま、カードの厚さ方向における凹部の側面に取り付けられる生体認証センサまで移動させて生体認証を行うことが可能になる。したがって、本発明では、カードリーダにカードが挿入された後に指紋認証等の生体認証が行われる場合であっても、利用者の操作性を高めることが可能になる。
【００１０】
また、本発明では、前面カバーの前面から後ろ側に向かって窪む凹部の側面に生体認証センサが配置されており、生体認証センサは、前面カバーの前面から奥まった位置に配置されている。そのため、本発明では、生体認証センサに指先が触れる利用者の指が、前後方向に対する傾斜角度が緩やかな状態で凹部に挿入されて、指先が生体認証センサに触れるようになる。したがって、本発明では、生体認証センサに指先が触れる利用者の指が、前後方向に対する傾斜角度が急な状態で凹部に挿入されて、指先が生体認証センサに触れる場合と比較して、利用者の指先の中心部分が生体認証センサに触れやすくなる。その結果、本発明では、生体認証センサによって生体認証データを精度良く取得することが可能になる。
【００１１】
また、本発明では、前面カバーの前面から後ろ側に向かって窪む凹部の側面に生体認証センサが配置されており、生体認証センサが前面カバーの前面から奥まった位置に配置されているため、生体認証センサの損傷を防止しやすくなる。
【００１２】
本発明において、生体認証センサは、たとえば、利用者の指紋を読み取るための指紋センサ、または、利用者の指先の静脈パターンを読み取るための静脈センサである。
【００１３】
本発明において、カードリーダは、カードリーダへのカードの挿入とカードリーダからのカードの抜取りとを利用者が手動で行う手動式のカードリーダであり、カードリーダへのカードの挿入が完了した状態でカードの厚さ方向から見たときに、カードの一部が生体認証センサの少なくとも一部と重なっていることが好ましい。このように構成すると、カードリーダにカードが挿入されている場合には、生体認証センサに指先が触れる利用者の指は、カードと干渉しないように、前後方向に対する傾斜角度がより緩やかな状態で凹部に挿入されるようになる。したがって、カードリーダにカードが挿入されていれば、利用者の指先の中心部分が生体認証センサにより触れやすくなり、その結果、生体認証センサによって生体認証データをより精度良く取得することが可能になる。
【００１４】
本発明において、カードリーダへのカードの挿入が完了した状態でカードの厚さ方向から見たときに、カードの一部が生体認証センサの一部と重なっており、体認証センサの前端部は、カードと重なっていないことが好ましい。このように構成すると、利用者は、挿入口からカードを挿入した後、カードを掴んでいた指先をそのまま、生体認証センサまでより移動させやすくなる。したがって、カードリーダにカードが挿入された後に指紋認証等の生体認証が行われる場合であっても、利用者の操作性をより高めることが可能になる。
【発明の効果】
【００１５】
以上のように、本発明のカードリーダでは、カードリーダにカードが挿入された後に指紋認証等の生体認証が行われる場合であっても、利用者の操作性を高めることが可能になる。
【図面の簡単な説明】
【００１６】
【図１】本発明の実施の形態にかかるカードリーダの斜視図である。
【図２】図１に示すカードリーダの前側部分の構成を説明するための側面図である。
【図３】図２に示すカードリーダの前側部分から前面カバーを取り外した状態の平面図である。
【発明を実施するための形態】
【００１７】
以下、図面を参照しながら、本発明の実施の形態を説明する。
【００１８】
（カードリーダの構成）
図１は、本発明の実施の形態にかかるカードリーダ１の斜視図である。図２は、図１に示すカードリーダ１の前側部分の構成を説明するための側面図である。図３は、図２に示すカードリーダ１の前側部分から前面カバー６を取り外した状態の平面図である。
【００１９】
本形態のカードリーダ１は、カード２に記録されたデータの読取りおよびカード２へのデータの記録の少なくともいずれか一方を行うための装置である。また、本形態のカードリーダ１は、カードリーダ１の利用者がカードリーダ１へのカード２の挿入とカードリーダ１からのカード２の抜取りとを手動で行う手動式のカードリーダである。具体的には、カードリーダ１は、カード２の挿入と抜取りとを手動で行ってデータの読取りや記録を行ういわゆるディップ式のカードリーダである。このカードリーダ１は、たとえば、ＡＴＭ等の上位装置に搭載されて使用される。
【００２０】
カード２は、たとえば、厚さが０．７〜０．８ｍｍ程度の長方形状の塩化ビニール製のカードである。カード２の裏面には、磁気データが記録される磁気ストライプが形成されている。また、カード２には、ＩＣチップが内蔵されており、カード２のおもて面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００２１】
カードリーダ１には、カード２が挿入されるとともに排出されるカード２の挿入口３が形成されている（図１参照）。また、カードリーダ１には、挿入口３から挿入されたカード２が移動するカード移動路４が形成されている（図２参照）。カードリーダ１は、カード移動路４が形成される本体フレーム５と、挿入口３が形成される前面カバー６とを備えている。また、カードリーダ１は、カード２に記録された磁気データの読取りやカード２への磁気データの記録を行う磁気ヘッド（図示省略）と、カード２に内蔵されるＩＣチップとデータの通信を行うための複数のＩＣ接点バネを有するＩＣ接点ブロック（図示省略）とを備えている。
【００２２】
さらに、カードリーダ１は、カードリーダ１の利用者の指先（より具体的には、第１関節よりも先端側の末節）Ｆｔ（図２参照）から利用者の生体認証データを取得するための生体認証センサ７を備えている。本形態の生体認証センサ７は、利用者の指紋を読み取るための指紋センサである。したがって、以下の説明では、生体認証センサ７を「指紋センサ７」とする。
【００２３】
本形態では、手動で操作されるカード２は、図１等に示すＸ方向に移動する。すなわち、Ｘ方向は、カード移動路４を移動するカード２の移動方向である。また、カード２は、挿入口３に対してＸ１方向に挿入され、Ｘ２方向に抜き取られる。また、Ｘ方向に直交する図１等のＺ方向は、挿入口３に挿入されてカード移動路４を移動するカード２の厚さ方向であり、Ｘ方向とＺ方向とに直交する図１等のＹ方向は、カード移動路４を移動するカード２の幅方向（短手幅方向）である。
【００２４】
以下の説明では、Ｘ方向を前後方向とし、Ｙ方向を左右方向とし、Ｚ方向を上下方向とする。また、挿入口３へのカード２の挿入方向側であるＸ１方向側を「後ろ」側とし、挿入口３からのカード２の抜取り方向側であるＸ２方向側を「前」側とする。また、上下方向の一方側であるＺ１方向側を「上」側とし、その反対側であるＺ２方向側を「下」側とする。
【００２５】
本体フレーム５は、カードリーダ１に挿入されたカード２の後ろ側部分が収容されるカード収容部５ａと、磁気ヘッドが配置されるヘッド配置部５ｂと、カード２を案内するためのカード案内部５ｃとを備えている。ヘッド配置部５ｂおよびカード案内部５ｃは、カード収容部５ａの前端から前側に突出している（図３参照）。ヘッド配置部５ｂとカード案内部５ｃとは、左右方向において間隔をあけた状態で形成されている。
【００２６】
左右方向におけるヘッド配置部５ｂとカード案内部５ｃとの間は、切欠き部５ｄとなっている。カード移動路４は、カード収容部５ａ、ヘッド配置部５ｂおよびカード案内部５ｃに形成されている。カード収容部５ａの上面側は、ケース１０によって覆われている。磁気ヘッドは、ヘッド配置部５ｂの前端部に取り付けられている。ＩＣ接点ブロックは、カード収容部５ａに取り付けられている。
【００２７】
前面カバー６は、カードリーダ１の前面を構成している。前面カバー６は、本体フレーム５の前面側に配置されており、本体フレーム５の前面側部分を覆っている。前面カバー６には、挿入口３へのカード２の挿入時および挿入口３からのカード２の抜取り時にカードリーダの利用者がカード２の前端部を掴むための凹部６ａが形成されている（図１参照）。すなわち、前面カバー６には、挿入口３へのカード２の挿入時および挿入口３からのカード２の引抜き時にカード２の掴み代（摘まみ代）を確保するための凹部６ａが形成されている。
【００２８】
凹部６ａは、前面カバー６の前面から後ろ側に向かって窪んでおり、凹部６ａには、上下方向の両側、左右方向の両側および後ろ側に側面が形成されている。また、凹部６ａは、挿入口３の上下方向の両側において、前面カバー６の前面から後ろ側に向かって窪んでいる。凹部６ａは、利用者の指Ｆ（図２参照）が挿入可能となる大きさに形成されており、カード２の挿入時およびカード２の抜取り時には、凹部６ａに利用者の指Ｆが挿入される。たとえば、カード２の挿入時およびカード２の抜取り時には、カード２の前端部を掴む利用者の親指と人差し指とが凹部６ａに挿入される。
【００２９】
凹部６ａの左右方向の幅は、挿入口３の左右方向の幅よりも狭くなっている。左右方向において、凹部６ａは、ヘッド配置部５ｂとカード案内部５ｃとの間に配置されている。すなわち、凹部６ａは、左右方向において、切欠き部５ｄが形成された位置に配置されている。挿入口３は、前面カバー６の前面、凹部６ａの左右の両側面および後側面に形成されている。
【００３０】
本形態では、凹部６ａの下端部６ｂの左右方向の幅は、凹部６ａの、下端部６ｂよりも上側の部分の左右方向の幅よりも広くなっている（図１参照）。下端部６ｂの左右方向の幅は、たとえば、挿入口３の左右方向の幅の３分の２程度となっている。また、凹部６ａの、下端部６ｂよりも上側の部分の左右方向の幅は、たとえば、挿入口３の左右方向の幅の半分程度となっている。
【００３１】
上述のように、本形態のカードリーダ１はディップ式のカードリーダである。そのため、カードリーダ１へのカード２の挿入が完了した状態（すなわち、カード移動路４の奥端にカード２の先端（後端）が到達して、カードリーダ１にカード２が完全に挿入された状態）では、カード２の前端部は、凹部６ａの中に配置されている。カードリーダ１の利用者は、挿入口３へのカード２の挿入時および挿入口３からのカード２の引抜き時にカード２の前端部を掴む。
【００３２】
指紋センサ７は、たとえば、静電容量型かつ感熱型の指紋センサである。指紋センサ７は、凹部６ａの下側面６ｃに取り付けられている。指紋センサ７の検知部７ａは、上側を向いた状態で凹部６ａの中で露出している。検知部７ａは、略長方形状に形成されており、検知部７ａの長辺方向と前後方向とが一致するように配置されている。検知部７ａの前端は、前面カバー６の前面よりも若干後ろ側に配置されている。下側面６ｃは、後ろ側に向かうにしたがって上側に向かうようにわずかに傾斜しており、検知部７ａは、後ろ側に向かうにしたがって上側に向かうようにわずかに傾斜している。検知部７ａとカード移動路４との上下方向の距離は、利用者の指Ｆの２本分程度の距離となっている。
【００３３】
指紋センサ７の左右方向の幅（より具体的には、検知部７ａの左右方向の幅）は、カード２の左右方向（短手方向）の幅よりも狭くなっている。また、指紋センサ７の前後方向の幅（より具体的には、検知部７ａの前後方向の幅）は、カード２の前後方向（長手方向）の幅よりも狭くなっている。本形態では、カードリーダ１へのカード２の挿入が完了した状態で上下方向から見ると、図３に示すように、カード２の一部が指紋センサ７の一部と重なっており、指紋センサ７の前端部は、カード２と重なっていない。具体的には、カード２の一部が検知部７ａの一部と重なっており、検知部７ａの前端部は、カード２と重なっていない。たとえば、カード２の一部が検知部７ａの後端側の３分の２程度と重なっており、検知部７ａの前端部の３分の１程度は、カード２と重なっていない。
【００３４】
以上のように構成されたカードリーダ１では、利用者がカードリーダ１にカード２を挿入した後、指紋センサ７の上（具体的には、検知部７ａの上）に指先Ｆｔを載せる。たとえば、利用者は、指紋センサ７の上に人差し指の指先Ｆｔを載せる。指紋センサ７の上に指先Ｆｔが載ると、指紋センサ７によって指紋認証が行われる。
【００３５】
（本形態の主な効果）
以上説明したように、本形態では、挿入口３が形成される前面カバー６に、挿入口３へのカード２の挿入時および挿入口３からのカード２の抜取り時に利用者がカード２の前端部を掴むための凹部６ａが前面カバー６の前面から後ろ側に向かって窪むように形成されている。また、本形態では、指紋センサ７は、凹部６ａの下側面６ｃに取り付けられている。そのため、本形態では、利用者が挿入口３からカード２を挿入した後、カード２を掴んでいた指先Ｆｔをそのまま、凹部６ａの下側面６ｃに取り付けられる指紋センサ７まで移動させて指紋認証を行うことが可能になる。したがって、本形態では、カードリーダ１にカード２が挿入された後に指紋認証が行われる場合であっても、カードリーダ１の利用者の操作性を高めることが可能になる。
【００３６】
特に本形態では、カードリーダ１へのカード２の挿入が完了した状態で上下方向から見ると、カード２の一部は指紋センサ７の一部と重なっているが、指紋センサ７の前端部は、カード２と重なっていないため、カードリーダ１の利用者は、挿入口３からカード２を挿入した後、カード２を掴んでいた指先Ｆｔをそのまま、指紋センサ７までより移動させやすくなる。したがって、本形態では、カードリーダ１にカード２が挿入された後に指紋認証が行われる場合であっても、カードリーダ１の利用者の操作性をより高めることが可能になる。
【００３７】
本形態では、前面カバー６の前面から後ろ側に向かって窪む凹部６ａの下側面６ｃに指紋センサ７が配置されており、指紋センサ７は、前面カバー６の前面から奥まった位置に配置されている。そのため、本形態では、指紋センサ７に指先Ｆｔが触れる利用者の指Ｆは、凹部６ａの上側面に接触しないように、前後方向に対する傾斜角度が緩やかな状態で凹部６ａに挿入されて、指先Ｆｔが指紋センサ７の上に置かれるようになる（図２参照）。すなわち、本形態では、カードリーダ１の利用者は、寝かせた状態（水平に近い状態）の指Ｆを自然に凹部６ａに挿入して指先Ｆｔを指紋センサ７の上に置くようになる。
【００３８】
したがって、本形態では、前後方向に対する傾斜角度が急な状態で指Ｆが凹部６ａに挿入されて指先Ｆｔが指紋センサ７の上に置かれる場合と比較して、利用者の指先Ｆｔの中心部分が指紋センサ７に触れやすくなる。その結果、本形態では、指先Ｆｔの中心部分に形成される指紋の特異点（指紋の渦中心や三角州のような指紋隆線の特異点）を指紋センサ７によって精度良く検知して、指紋データを精度良く取得することが可能になる。
【００３９】
特に本形態では、カードリーダ１へのカード２の挿入が完了した状態で上下方向から見ると、カード２の一部が指紋センサ７の一部と重なっているため、指紋センサ７に指先Ｆｔが触れる利用者の指Ｆは、カード２と干渉しないように、前後方向に対する傾斜角度がより緩やかな状態で凹部６ａに挿入されて、指先Ｆｔが指紋センサ７の上に置かれるようになる。したがって、本形態では、利用者の指先Ｆｔの中心部分が指紋センサ７により触れやすくなる。その結果、本形態では、指紋センサ７によって、指先Ｆｔの中心部分に形成される指紋の特異点をより精度良く検知して、指紋データをより精度良く取得することが可能になる。
【００４０】
また、本形態では、前面カバー６の前面から後ろ側に向かって窪む凹部６ａの下側面６ｃに指紋センサ７が配置されており、指紋センサ７が前面カバー６の前面から奥まった位置に配置されているため、指紋センサ７の損傷を防止しやすくなる。
【００４１】
（他の実施の形態）
上述した形態は、本発明の好適な形態の一例ではあるが、これに限定されるものではなく本発明の要旨を変更しない範囲において種々変形実施が可能である。
【００４２】
上述した形態において、カードリーダ１へのカード２の挿入が完了した状態で上下方向から見たときに、カード２の一部が指紋センサ７の全部と重なっていても良い。この場合には、指紋センサ７に指先Ｆｔが触れる利用者の指Ｆは、カード２と干渉しないように、前後方向に対する傾斜角度がより一層緩やかな状態で凹部６ａに挿入されて、指先Ｆｔが指紋センサ７の上に置かれるようになる。また、上述した形態において、カードリーダ１へのカード２の挿入が完了した状態で上下方向から見たときに、カード２の一部が指紋センサ７と重なっていなくても良い。この場合には、カードリーダ１の利用者は、挿入口３からカード２を挿入した後、カード２を掴んでいた指先Ｆｔをそのまま、指紋センサ７までより一層移動させやすくなる。
【００４３】
上述した形態において、カードリーダ１は、カード２の搬送機構を有するカード搬送式のカードリーダであっても良い。また、上述した形態において、カードリーダ１は、磁気ヘッドまたはＩＣ接点ブロックを備えていなくても良い。また、上述した形態において、カードリーダ１にカード２が挿入される前に指紋認証が行われても良い。この場合であっても、カードリーダ１へのカード２の挿入動作と同様の動作で、指紋センサ７の上に指先Ｆｔを載せることが可能になるため、カードリーダ１の操作感は損なわれない。
【００４４】
上述した形態において、指紋センサ７に代えて、カードリーダ１の利用者の指先Ｆｔの静脈パターンを読み取るための静脈センサが凹部６ａの下側面６ｃに取り付けられていても良い。すなわち、カードリーダ１の利用者の指先Ｆｔから利用者の生体認証データを取得するための生体認証センサ７は、静脈センサであっても良い。この場合には、カードリーダ１の利用者が挿入口３からカード２を挿入した後、カード２を掴んでいた指先Ｆｔをそのまま、凹部６ａの下側面６ｃに取り付けられる静脈センサまで移動させて静脈認証を行うことが可能になる。そのため、カードリーダ１にカード２が挿入された後に静脈認証が行われる場合であっても、カードリーダ１の利用者の操作性を高めることが可能になる。
【符号の説明】
【００４５】
１  カードリーダ
２  カード
３  挿入口
４  カード移動路
５  本体フレーム
６  前面カバー
６ａ  凹部
７  指紋センサ（生体認証センサ）
Ｆｔ  指先
Ｘ１  後ろ方向
Ｘ２  前方向
Ｚ  カードの厚さ方向
【図１】
2019200681.tif 000003
【図２】
2019200681.tif 000004
【図３】
2019200681.tif 000005